【手続補正書】
【提出日】平成17年10月28日(2005.10.28)
【手続補正１】
【補正対象書類名】明細書
【補正対象項目名】特許請求の範囲
【補正方法】変更
【補正の内容】
【特許請求の範囲】
【請求項１】  行と列に配列された相互に対応する複数のセルを備え、各セルはそれぞれのアナログ量を規定する回路を含むセルアレイと、
所定の選択シーケンスで前記アレイのセルをそれぞれの順番位置に割り当て、それぞれの割り当てられた順番位置に従って前記セルを選択し、割り当てられた順番位置は前記アレイの異なる行のシーケンス位置の合計を等しくする傾向にあるか、又は前記アレイの異なる列のシーケンス位置の合計を等しくする傾向にあり、行又は列に対するシーケンス位置の合計は関係する前記行又はと列における前記セルのそれぞれの順番位置の合計により決定される選択手段と、
選択された前記セルにより規定される各アナログ量を累積する累積手段とを備えることを特徴とするセルアレイ回路。
【請求項２】  請求項１に記載のセルアレイ回路であって、
前記セルは、前記アレイのすべての行に対してそれぞれのシーケンス位置の合計を等しくする傾向又は前記アレイのすべての列に対してそれぞれのシーケンス位置の合計を等しくする傾向にある順番位置に割り当てられるセルアレイ回路。
【請求項３】  請求項２に記載のセルアレイ回路であって、
前記セルアレイは同じ行数と列数を有し、前記セルは、前記アレイのすべての行及び列に対するそれぞれのシーケンス位置の合計を等しくする傾向にある順番位置に割り当てられるセルアレイ回路。
【請求項４】  請求項３に記載のセルアレイ回路であって、
前記アレイ内の前記割り当てられた順番位置の配置は、前記アレイの行又は列の個数に等しい階数の魔方陣内の整数の配置に適合するセルアレイ回路。
【請求項５】  請求項４に記載のセルアレイ回路であって、
前記魔方陣は全対角(pandiagonal) であるセルアレイ回路。
【請求項６】  請求項４又は５に記載のセルアレイ回路であって、
前記魔方陣は「結合的(associative) 」であるセルアレイ回路。
【請求項７】  請求項２に記載のセルアレイ回路であって、
前記セルアレイの行数と列数は異なり、前記割り当てられた順番位置は、すべての行に対するそれぞれのシーケンス位置の合計を等しくする傾向にあり、且つすべての列に対するそれぞれのシーケンス位置の合計を等しくする傾向にあるセルアレイ回路。
【請求項８】  請求項１から７のいずれか１項に記載のセルアレイ回路であって、
各セルは電流源又は電流シンク回路を有し、前記累積手段は前記選択されたセルの前記電流源又はシンク回路により供給又は抜き取られる各電流を累積するように動作するセルアレイ回路。
【請求項９】  請求項１から７のいずれか１項に記載のセルアレイ回路であって、
各セルは容量要素を有し、前記累積手段は前記選択されたセルの前記容量要素に蓄積された各電荷を累積するように動作するセルアレイ回路。
【請求項１０】  請求項１から７のいずれか１項に記載のセルアレイ回路であって、
各セルは抵抗要素を有し、前記累積手段は前記選択されたセルの前記抵抗要素の各抵抗を累積するように動作するセルアレイ回路。
【請求項１１】  請求項１から１０のいずれか１項に記載のセルアレイ回路であって、
前記選択手段は、前記割り当てられた順番位置が所定値より小さい前記アレイの各セルを同時に選択するように動作するセルアレイ回路。
【請求項１２】  請求項１１に記載のセルアレイ回路であって、
前記所定値は、前記選択手段に印加される選択信号により決定されるセルアレイ回路。
【請求項１３】  請求項１から１０のいずれか１項に記載のセルアレイ回路であって、
前記選択手段は、少なくとも第１及び第２の２値重み付けグループにおける前記アレイの前記セルを選択するように動作し、前記第１グループにおけるセルの個数は前記第２グループにおけるセルの個数の２倍であるセルアレイ回路。
【請求項１４】  請求項１３に記載のセルアレイ回路であって、
少なくとも前記第１のグループにおいては、そのグループにおける前記セルが連続して割り当てられた順番位置を有するセルアレイ回路。
【請求項１５】  第１、第２、第３及び第４のセルアレイであって、それぞれが行と列に配列された相互に対応する複数のセルで作られ、前記第２、第３及び第４のセルアレイのそれぞれは前記第１のセルアレイに対して所定の位置関係に配置され、各セルはそれぞれのアナログ量を規定する回路を含む第１、第２、第３及び第４のセルアレイと、
組内の前記アレイの前記セルを選択するセル組選択手段であって、各セル組は、前記第１のセルアレイからの第１セル、関係するセル組の前記第１セルに個別に対応する前記第２のセルアレイからの第２セル、関係するセル組の前記第１セルに個別に対応する前記第３のセルアレイからの第３セル、及び関係するセル組の前記第１セルに個別に対応する前記第４のセルアレイからの第４セルを含むセル組選択手段と、
選択されたセル組の前記第１、第２、第３及び第４セルにより規定される各アナログ量を累積する累積手段とを備え、
前記第２のセルアレイ内の第２のセルの物理的な配置は、前記第１セルアレイ内の対応する各第１セルの物理的な配置の所定の変形に対応し、前記第３のセルアレイ内の第３のセルの物理的な配置は、前記第１セルアレイ内の対応する各第１セルの物理的な配置の所定の変形に対応し、そして前記第４のセルアレイ内の第４のセルの物理的な配置は、前記第１セルアレイ内の対応する各第１セルの物理的な配置の所定の変形に対応することを特徴とするセルアレイ回路。
【請求項１６】  請求項１５に記載のセルアレイ回路であって、
前記４個のセルアレイを含む領域は、該領域の原点で交わる第１及び第２の相互に垂直である軸により、４個の象限に分割され、前記第１、第２、第３及び第４のセルアレイは、前記４個の象限にそれぞれ配置されるセルアレイ回路。
【請求項１７】  請求項１６に記載のセルアレイ回路であって、
前記第１及び第２の象限は前記第２の軸の同じ側にあり、前記第１及び第３の象限は前記第１の軸の同じ側にあり、
前記第１のセルアレイは前記第１象限に配置され、
前記第２のセルアレイは、前記第１のセルアレイの前記第２の軸に対する反射であって前記第２象限内に位置する反射に対応し、
前記第３のセルアレイは、前記第１のセルアレイの前記第１の軸に対する反射であって前記第３象限内に位置する反射に対応し、
前記第４のセルアレイは、前記第１のセルアレイの１８０°の回転であって前記第４象限内に位置する回転に対応するセルアレイ回路。
【請求項１８】  請求項１５から１７のいずれか１項に記載のセルアレイ回路であって、
前記セル組選択手段は、所定の選択シーケンスで各セルアレイの各順番位置の前記セルを割り当て、割り当てられた各順番位置に従って前記セルを選択するように動作し、前記累積手段は前記選択されたセル組の前記セルにより生成されるか又は関係する各アナログ量を累積するように動作するセルアレイ回路。
【請求項１９】  請求項１８に記載のセルアレイ回路であって、
各セルアレイに対して、前記割り当てられた順番位置は、関係する前記セルアレイにおける前記セルの物理的な順番に適合するセルアレイ回路。
【請求項２０】  請求項１８に記載のセルアレイ回路であって、
各セルアレイに対して、前記割り当てられた順番位置は、関係する前記アレイの異なる行に対するそれぞれのシーケンス位置の合計を等しくする傾向又は関係する前記アレイの異なる列に対するそれぞれのシーケンス位置の合計を等しくする傾向にあり、行又は列に対する前記シーケンス位置の合計は関係する前記行又は列における前記セルの各順番位置を合計することにより決定されるセルアレイ回路。
【請求項２１】  請求項２０に記載のセルアレイ回路であって、
前記割り当てられた順番位置は、前記アレイのすべての行に対するそれぞれのシーケンス位置の合計を等しくする傾向又は前記アレイのすべての列に対するそれぞれのシーケンス位置の合計を等しくする傾向にあるセルアレイ回路。
【請求項２２】  請求項２１に記載のセルアレイ回路であって、
前記セルアレイは、同じ行数と列数を有し、前記割り当てられた順番位置は前記アレイのすべての行及び列に対するそれぞれのシーケンス位置の合計を等しくする傾向にあるセルアレイ回路。
【請求項２３】  請求項２２に記載のセルアレイ回路であって、
前記アレイ内の前記割り当てられた順番位置の配置は、前記アレイの行又は列の個数に等しい階数の魔方陣内の整数の配置に適合するセルアレイ回路。
【請求項２４】  請求項２１に記載のセルアレイ回路であって、
前記セルアレイの行数と列数は異なり、前記割り当てられた順番位置は、すべての行に対するそれぞれのシーケンス位置の合計を等しくする傾向にあり、且つすべての列に対するそれぞれのシーケンス位置の合計を等しくする傾向にあるセルアレイ回路。
【請求項２５】  請求項１５から２４のいずれか１項に記載のセルアレイ回路であって、
各セルは電流源又は電流シンク回路を有し、前記累積手段は前記選択されたセルの前記電流源又はシンク回路により供給又は抜き取られる各電流を累積するように動作するセルアレイ回路。
【請求項２６】  請求項１５から２４のいずれか１項に記載のセルアレイ回路であって、
各セルは容量要素を有し、前記累積手段は前記選択されたセルの前記容量要素に蓄積された各電荷を累積するように動作するセルアレイ回路。
【請求項２７】  請求項１５から２４のいずれか１項に記載のセルアレイ回路であって、
各セルは抵抗要素を有し、前記累積手段は前記選択されたセルの前記抵抗要素の各抵抗を累積するように動作するセルアレイ回路。
【請求項２８】  請求項１５から２７のいずれか１項に記載のセルアレイ回路であって、
各セルアレイにおいて、前記セル組選択手段は、前記割り当てられた順番位置が所定値より小さい前記アレイの各セルを同時に選択するように動作するセルアレイ回路。
【請求項２９】  請求項２８に記載のセルアレイ回路であって、
前記所定値は、前記セル組選択手段に印加される選択信号により決定されるセルアレイ回路。
【請求項３０】  請求項１５から２７のいずれか１項に記載のセルアレイ回路であって、
前記セル組選択手段は、少なくとも第１及び第２の２値重み付けグループにおける各セルアレイの前記セルを選択するように動作し、前記第１グループにおけるセルの個数は前記第２グループにおけるセルの個数の２倍であるセルアレイ回路。
【請求項３１】  請求項３０に記載のセルアレイ回路であって、
少なくとも前記第１のグループにおいては、そのグループにおける前記セルが連続して割り当てられた順番位置を有するセルアレイ回路。
【請求項３２】  請求項１から３１のいずれか１項に記載のセルアレイ回路を有するデジタル−アナログ変換器。
【請求項３３】  請求項１から３１のいずれか１項に記載のセルアレイ回路を有するアナログ−デジタル変換器。